【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
検索端末（１）から情報問い合わせが送られ、
その情報問い合わせが受信されて処理され、
情報が検索され、
その情報が該検索端末（１）に送られ、
その情報が該検索端末（１）によって受信されてユーザに対して表示され、１つ或いは数個のサーバー（３，４，４’，４”）が情報検索用に利用される、移動体ユーザへの情報伝送方法であって、
該移動体ユーザの現在の位置及び／又は移動ルートが該検索端末（１）からその情報問い合わせを受信して処理する手段（３，４，４’，４”）に送られ（２０１）、
ここに、該情報検索は少なくとも部分的に該移動体ユーザの現在の位置及び／又は移動ルートに基づいて実行され、
該検索端末（１）から送られた情報問い合わせは、少なくとも部分的に該移動体ユーザの現在の位置及び／又は移動ルートに基づいて、その情報検索に適するサーバー（３，４，４’，４”）に向けて経路選択されることを特徴とする方法。
【請求項２】
ユーザ固有の情報が少なくとも１つのユーザ・プロフィール・データベースに記憶され、必要に応じてそのユーザ・プロフィール・データベースにおける情報が情報検索時に追加の検索基準として利用されることを特徴とする請求項１に記載の方法。
【請求項３】
ユーザ固有の情報が該検索端末（１）に記憶されることを特徴とする請求項２に記載の方法。
【請求項４】
サービス固有の情報が少なくとも１つのサービス・データベースに記憶され、情報がサービス・データベースから検索されることを特徴とする請求項１乃至３のいずれか１項に記載の方法。
【請求項５】
情報問い合わせを送るための検索端末（１）と、
その情報問い合わせを受け取って処理するための手段（３，４，４’，４”）と、
情報を検索するための手段（３，４，４’，４”）と、
その情報を該検索端末（１）に送るための手段（２）と、
その情報を受け取って、それを該検索端末（１）でユーザに対して呈示するための手段（１）とを有する、ユーザへの情報伝送システムであって、
該システムは、情報を検索するための少なくとも１つのサーバー（３，４，４’，４”）を有し、
該システムは、移動体ユーザの現在の位置及び／又は移動ルートを、該検索端末（１）からその情報問い合わせを受信して処理する手段（３，４，４’，４”）へ送る（２０１）ための手段（１）を更に有し、
ここに、該情報検索は少なくとも部分的に該移動体ユーザの現在の位置及び／又は移動ルートに基づいて実行され、
該情報問い合わせは、少なくとも部分的に該移動体ユーザの現在の位置及び／又は移動ルートに基づいて該情報検索に適するサーバー（３，４，４’，４”）に向けて経路選択されることを特徴とするシステム。
【請求項６】
該システムはユーザ固有の情報を記憶する少なくとも１つのユーザ・プロフィール・データベースを更に有し、検索基準の他に、必要に応じて該ユーザ・プロフィール・データベースに含まれている情報が該情報検索のために使用されることを特徴とする請求項５に記載のシステム。
【請求項７】
ユーザ固有の情報が該検索端末（１）に記憶されることを特徴とする請求項６に記載のシステム。
【請求項８】
該システムは、サービスの供給元に関する情報を記憶する少なくとも１つのサービス・データベースを有し、検索基準の他に、必要に応じて、該サービス・データベースに含まれている情報も情報検索時に使用されることを特徴とする請求項５乃至７のいずれか１項に記載のシステム。
【請求項９】
該システムは、少なくとも１つの接続サーバー（３）と、少なくとも１つのリモートサーバー（４，４’，４”）と、該検索端末（１）と該接続サーバー（３）との間のデータ伝送接続をセットアップするための手段（２）と、該接続サーバー（３）と該リモートサーバー（４，４’，４”）との間の接続をセットアップするための手段と、を有することを特徴とする請求項５乃至８のいずれか１項に記載のシステム。
【請求項１０】
情報の伝送は少なくとも部分的に無線で実行されることを特徴とする請求項５乃至９のいずれか１項に記載のシステム。
【請求項１１】
情報問い合わせを受け取って処理するための手段（３，４，４’，４”）と、
情報を検索するための手段（３，４，４’，４”）と、
その情報を移動局（１）に送るための手段（２）とを有するシステムにおいて、情報問い合わせを送るための手段と、情報を受け取るための手段（１）と、その受け取られた情報を該移動局（１）の移動体ユーザに対して呈示するための手段とを有する移動局（１）であって、
該移動局は、情報を検索するために該移動体ユーザの現在の位置及び／又は移動ルートに関する情報を該情報問い合わせに付加するための手段を有し、
ここに、少なくとも１つのサーバーを有する該システムにおいて、該情報検索は少なくとも部分的に該移動体ユーザの現在の位置及び／又は移動ルートに基づいて実行され、該情報問い合わせは、少なくとも部分的に該移動体ユーザの現在の位置及び／又は移動ルートに基づいて、情報を検索するのに適したサーバー（３，４，４’，４”）に向けて経路選択されることを特徴とする移動局。
【請求項１２】
ユーザへ情報を伝送するためにリモートサーバーを検索する方法であって、
検索端末（１）からの情報問い合わせが接続サーバー（３）で受信され、
情報問い合わせが該情報問い合わせによって規定される情報を含むリモートサーバー（４，４’，４”）を求めるために該接続サーバー（３）によって処理される方法において、
該情報問い合わせがユーザの位置及び／又は移動ルートの情報を含み、ここに、該リモートサーバーの検索は少なくとも部分的にユーザの位置及び／又は移動ルートに基づいて実行され、
該検索端末（１）から送られた情報問い合わせは少なくとも部分的にユーザの位置及び／又は移動ルートに基づいてその情報検索に適するサーバー（３，４，４’，４”）に向けて経路選択されることを特徴とする方法。
【請求項１３】
検索端末（１）から送られた情報問い合わせを受信する手段（３）と、
該情報問い合わせによって規定された情報を含むリモートサーバー（４，４’，４”）を選択する手段（３）と、
該情報問い合わせを該リモートサーバー（４，４’，４”）へ送る手段（２）と、
該選択されたリモートサーバー（４，４’，４”）によって検索された情報を受信する手段（１）と、
該検索された情報を該検索端末（１）へ送る手段（２）と、を有する接続サーバー（３）において、
該情報問い合わせはユーザの位置及び／又は移動ルートの情報を含み、ここに、該接続サーバー（３）は少なくとも部分的にユーザの位置及び／又は移動ルートに基づいて該リモートサーバー（４，４’，４”）を選択することを特徴とする接続サーバー。
【請求項１４】
ユーザへ伝送するためにリモートサーバーで情報を検索する方法であって、
情報問い合わせが検索端末（１）から接続サーバー（３）を経て受信され、
情報が該情報問い合わせに基づいて検索され、
該検索された情報が該接続サーバー（３）を経て該検索端末（１）へ送られる方法において、
該情報問い合わせはユーザの位置及び／又は移動ルートの情報を含み、ここに、該情報検索は少なくとも部分的にユーザの位置及び／又は移動ルートに基づいて実行され、
該検索端末（１）から送られた情報問い合わせは少なくとも部分的にユーザの位置及び／又は移動ルートに基づいてその情報検索に適するサーバー（４，４’，４”）に向けて経路選択されることを特徴とする方法。
【請求項１５】
ユーザへ情報を伝送するシステムであって、
リモートサーバー（４，４’，４”）と、
検索端末（１）から送られた情報問い合わせを接続サーバー（３）を経てリモートサーバー（４，４’，４”）へ送る手段と、
情報を検索する手段（３，４，４’，４”）と、
該リモートサーバー（４，４’，４”）からの情報を該接続サーバー（３）を経て該検索端末（１）へ送るための手段（２）と、を有するシステムにおいて、
該情報問い合わせはユーザの位置及び／又は移動ルートの情報を含み、ここに、該システムは少なくとも部分的にユーザの位置及び／又は移動ルートに基づいて該情報検索を実行することを特徴とするシステム。
【請求項１６】
検索端末（１）から接続サーバー（３）を経て送られた情報問い合わせを受信する手段と、
情報を検索するための手段（３，４，４’，４”）と、
該接続サーバー（３）を経て該検索端末（１）へ情報を送る手段（２）と、を有するリモートサーバー（４，４’，４”）において、
該情報問い合わせはユーザの位置及び／又は移動ルートの情報を含み、ここに、該リモートサーバー（４，４’，４”）は少なくとも部分的にユーザの位置及び／又は移動ルートに基づいて該情報検索を実行することを特徴とするリモートサーバー。
【請求項１７】
前記リモートサーバー（４，４’，４”）がユーザ固有の情報を記憶するための少なくとも１つのユーザ・プロフィール・データベースを有し、ここに該ユーザ・プロフィール・データベースにおける情報は、必要に応じて、該情報検索時に追加の検索基準として利用されることを特徴とする請求項１６に記載のリモートサーバー。
【請求項１８】
ユーザへ情報を伝送する方法であって、
情報問い合わせが検索端末（１）で形成され、
該情報問い合わせは情報検索用のリモートサーバーを選択するために接続サーバー（３）へ送られ、
検索された情報は該接続サーバー（３）を経て該リモートサーバー（４，４’，４”）から受信される方法において、
該情報問い合わせはユーザの位置及び／又は移動ルートの情報を含み、ここに、該情報検索は少なくとも部分的にユーザの位置及び／又は移動ルートに基づいて実行され、
該検索端末（１）から送られた該情報問い合わせは少なくとも部分的にユーザの位置及び／又は移動ルートに基づいてその情報検索に適するサーバー（４，４’，４”）に向けて経路選択されることを特徴とする方法。
【請求項１９】
情報問い合わせを形成する手段と、
情報検索用のリモートサーバーを選択するために該情報問い合わせを接続サーバー（３）へ送る手段と、
検索された情報を該接続サーバー（３）を経て該リモートサーバー（４，４’，４”）から受信する手段（２）と、を有する検索端末（１）において、
該検索端末はユーザの位置及び／又は移動ルートの情報を該情報問い合わせ中に含める手段を有することを特徴とする検索端末。
【請求項２０】
ユーザ固有の情報が該検索端末（１）内に記憶されることを特徴とする請求項１９に記載の検索端末。
【請求項２１】
請求項１９に記載の検索端末（１）のためのプログラムであって、
情報問い合わせを形成し、
情報検索用のリモートサーバーを選択するために該検索端末（１）に、該情報問い合わせを接続サーバー（３）へ送るように命令し、
該検索端末（１）が該接続サーバー（３）を経て該リモートサーバー（４，４’，４”）から受信した前記の検索された情報を受信する、コンピュータ実行可能な各ステップを有するプログラムにおいて、
該プログラムはさらに、ユーザの位置及び／又は移動ルートの情報を該情報問い合わせ中に含める、コンピュータ実行可能なステップを有することを特徴とするプログラム。